【手続補正書】
【提出日】平成16年2月13日(2004.2.13)
【手続補正１】
【補正対象書類名】明細書
【補正対象項目名】全文
【補正方法】変更
【補正の内容】
【発明の名称】パチンコ遊技機
【特許請求の範囲】
【請求項１】幅寸法の大きい第１入賞口と、該第１入賞口の下方に設けられ該第１入賞口より幅寸法の小さい第２入賞口と、を有するパチンコ遊技機において、
該第１入賞口の上方であり且つ該第２入賞口の真上の位置に、通過する遊技球を該第２入賞口に向けて落下させる通過装置を備え、
該通過装置、第１入賞口及び第２入賞口は、組付体の基盤にて一体に設けられていることを特徴とするパチンコ遊技機。
【請求項２】上記通過装置、上記第１入賞口及び上記第２入賞口は、それぞれの中心が一直線上となる位置に一個ずつ配置される請求項１記載のパチンコ遊技機。
【発明の詳細な説明】
【０００１】
【発明の属する技術分野】
本発明は、パチンコ遊技機に関する。
【０００２】
【従来の技術】
従来のパチンコ遊技機としては、左右対称の位置にゲート（通過装置）が設けられており、その左右の通過装置よりも下方で遊技盤中央の位置に大入賞口（第１入賞口）が、そして、更にその下方に電動役物（第２入賞口）が設けられているものが一般に知られている。このパチンコ遊技機においては、大入賞口、電動役物の設置位置は、ゲートの設置位置とは左右方向にずれているものである。このようなパチンコ遊技機においては、左右に配設されたゲートを通過した遊技球は、大入賞口の上方に左右から落下してくる。そして、大入賞口の開放時には、大入賞口内にその遊技球が取り込まれ大当たりとなるが、大入賞口の閉鎖時には、遊技球は大入賞口位置を通過し大入賞口下方の電動役物に向けて落下することとなる。
【０００３】
【発明が解決しようとする課題】
しかし、上記のようなパチンコ遊技機においては、大入賞口、電動役物の設置位置は、ゲートの設置位置とは左右方向にずれており、ゲート通過後、大入賞口位置を通過した遊技球も、遊技球の勢い、方向等により流路が変動するため、必ずしも下方の電動役物に入賞するわけではない。そして、電動役物にも入賞しない場合には、大入賞口の上部にまで落下してきた遊技球もなんら入賞及び賞球に結びつかないこととなる。このような大入賞口の開閉状態による賞球数の落差の大きさは、遊技者の興趣を削ぐこととなる。
【０００４】
本発明は、上記の問題点を解決したものであり、第１入賞口上方の所定の位置を通過する遊技球は、すべて第１入賞口下方の第２入賞口に入賞する流路をとらせるものとし、遊技者の興趣を失わせないパチンコ遊技機を提供することを課題とする。
【０００５】
【課題を解決するための手段】
請求項１記載の発明は、幅寸法の大きい第１入賞口と、該第１入賞口の下方に設けられ該第１入賞口より幅寸法の小さい第２入賞口と、を有するパチンコ遊技機において、該第１入賞口の上方であり且つ該第２入賞口の真上の位置に、通過する遊技球を該第２入賞口に向けて落下させる通過装置を備え、該通過装置、第１入賞口及び第２入賞口は、組付体の基盤にて一体に設けられていることを特徴とするパチンコ遊技機である。
ここで、「第２入賞口」とは、遊技球が入るとパチンコ遊技機から所定の賞球が排出される口である。これに対して、「第１入賞口」とは、第２入賞口よりも幅寸法が大きく、所定の条件下で開口し、遊技球が入ると第２入賞口よりも多量の賞球が排出される口である。
【０００６】
請求項２記載の発明は、請求項１記載のパチンコ遊技機であって、上記通過装置、上記第１入賞口及び上記第２入賞口は、それぞれの中心が一直線上となる位置に一個ずつ配置されるものである。ここで、「中心」とは、上下に配置される通過装置、第１入賞口及び第２入賞口のそれぞれの左右方向の中央をいう。
【０００７】
【作用】
請求項１記載の発明は、組付体の基盤にて第１入賞口の上方で第２入賞口の真上の位置に設けられる通過装置を備えるため、その通過装置を通過する遊技球は流路を規制され、真下の第２入賞口に向けて落下する。
請求項２記載の発明は、第１入賞口、第２入賞口と一直線上に配置される通過装置を備えるため、その通過装置を通過する遊技球は、第１入賞口及び第２入賞口の中心線上に流路を制限される。このため、通過装置を通過する遊技球は、一つの流路で確実に第２入賞口に向けて落下する。
【０００８】
【発明の実施の形態】
以下、本発明の実施例を図１〜６に基づき具体的に説明する。
図１は、通過装置（ゲート）１２、大入賞口１３及び電動役物１４を備える組付体１の正面図である。図２はその組付体１の平面図である。図３は、図１に示す組付体１のＡ−Ａ矢視断面図である。図４は組付体１の斜視図である。図５は、この組付体１を備えた本実施例のパチンコ遊技機の遊技盤Ｂの正面図である。図６はこの組付体１を備えた本実施例のパチンコ遊技機の全体正面図である。
【０００９】
本実施例のパチンコ遊技機は、図６に示すように、正面に遊技盤Ｂを備えており、その下方には周知の上部受け皿Ｔ１、下部受け皿Ｔ２、遊技球発射レバーＬ等を備えている。
そして、このパチンコ遊技機の正面に設けられる遊技盤Ｂには、図５に示すように、最下部にアウト口２が設けられており、その上方には、組付基盤１１と、この組付基盤１１に設けられた通過装置１２、大入賞口１３及び電動役物１４を具備する組付体１が設けられている。その他、この遊技盤Ｂには、図５に示すように、特別図柄表示装置３や適宜の釘、風車、入賞口等が設けられている。
【００１０】
図１〜５に示すように、組付体１においては、組付基盤１１のセンターライン（中心線）上に、それぞれの中心線を合わせて、上部から下部に向かって順に、通過装置（ゲート）１２、大入賞口１３及び電動役物１４が配置されている。即ち、本実施例は請求項２に記載のパチンコ遊技機に相当するものであり、通過装置１２、大入賞口１３及び電動役物１４は、それぞれの中心が一直線上となる位置に一個ずつ上下に配置されるものである。そして、これらの開口部の大きさ（横幅）は、各々、約１１〜１３ｍｍ、約５５〜１３０ｍｍ、約１３〜５５ｍｍであり、この通過装置１２の開口部の大きさは比較的小さく、大入賞口１３の開口部の大きさは大きくなっている。尚、本実施例における大入賞口１３が、特許請求の範囲記載の「第１入賞口」に相当するものであり、電動役物１４が、特許請求の範囲記載の「第２入賞口」に相当するものである。
【００１１】
通過装置１２は、遊技球の直径の１．２倍程度の高さと幅（パチンコ遊技機に設置された遊技盤において、奥行き方向の寸法を「高さ」というものとする。）を有する通過穴を持った門状の構造であり、通過穴の上下方向の長さは約６ｍｍ程度である。
大入賞口１３は、幅約６０ｍｍ、上下約２５ｍｍの長方形の扉体を有する入賞口であり、その扉体は一定の条件下で下辺を軸として手前側に開き、大入賞口１３に遊技球を受け入れるものである。
【００１２】
電動役物１４は、遊技球の直径の１．５倍程度の高さと幅を有する穴を持った入賞口であり、通過装置１２の下方約４０ｍｍの位置に設置される。この電動役物１４は一定の条件で開閉するものである。
これら、通過装置１２、大入賞口１３及び電動役物１４は、サブアッセンブリーとして予め組付基盤１１上に組付けられ、組付体１を構成するものである。
【００１３】
上記のような構成を有する組付体１を備えたパチンコ遊技機においては、図５に示すように、通過装置１２に向かって落下してきた遊技球は、通過装置１２を通過した後、大入賞口１３が開放しているときは大入賞口１３から特定領域１５に入り、入賞する（図１及び４参照。）。
また、大入賞口１３が閉鎖しているときは大入賞口１３の表面側を通過して電動役物１４に向かって落下していくこととなる（図１及び４参照。）。
このとき、電動役物１４が開放されていると、遊技球は電動役物１４内に入賞する。そして、電動役物１４が閉鎖されているときには、アウト口２へ落下してファールとなる。
【００１４】
以上のように、本実施例のパチンコ遊技機においては、大入賞口１３、電動役物１４と一直線上に配置される通過装置１２を備えるため、通過装置１２を通過する遊技球の流路は、通過装置１２の通過穴によって大入賞口１３及び電動役物１４の中心線上に規制される。このため、通過装置１２を通過する遊技球は、一つの流路で確実に電動役物１４に向けて落下し、電動役物１４が開放している場合には確実に電動役物１４内に入賞する。
また、通過装置１２の開口部の大きさは比較的小さいので、この通過装置１２を通過する遊技球はこの開口部に衝突したりしてその勢いが低減され、そのため、確実に真下に落下する。従って、この遊技球は、たとえ大入賞口１３が閉じていても、電動役物１４が開放している場合には確実に電動役物１４内に入賞することとなる。尚、この大入賞口１３が開いている場合は、この大入賞口１３の開口部が大きいことも相まって、遊技球は確実にこの大入賞口１３内に入賞する。
以上より、大入賞口１３が閉じている場合にも、大入賞口位置を通過する遊技球が電動役物１４内へ入賞することを期待でき、大入賞口１３の開閉状態による入賞・不入賞の賞球数の落差が大きいということがなくなるので、遊技者の興趣が削がれることがない。
【００１５】
更に、本実施例のパチンコ遊技機の組付体１においては、大入賞口１３と通過装置１２と電動役物１４とが一体として設けられているため、これらの装置を遊技盤Ｂへ個別に組み付ける場合に比べて、組付けがより簡単になる。また、遊技盤Ｂに組付ける前に予めサブアッセンブリーとして構成しておくため、大入賞口１３、通過装置１２、電動役物１４をそれぞれ独自に遊技盤に組付ける場合に比べて、より高精度にそれぞれの中心が一直線上となるように組付け配置することができる。
そして、組付体１の組付基盤１１は横方向に長いものであるため、組付体１を遊技盤Ｂに組付ける際にも、容易に装置が水平となるように高精度に組付けることができる。
【００１６】
尚、本発明においては、前記具体的実施例に示すものに限られず、目的、用途に応じて本発明の範囲内で種々変更した実施例とすることができる。
即ち、本実施例においては、第２入賞口は電動役物としたが、第２入賞口はその他の電動チューリップ等による第２入賞口とすることもできる。その際、第２入賞口を閉鎖することがないものとすれば、第２入賞口真上の通過装置を通過した遊技球は、確実に第２入賞口に入賞するものとすることができる。また、本実施例においては、第１入賞口は「大入賞口」としたが、本発明における第１入賞口は、法上の用語「大入賞口」の規定により限定されるものではない。
【００１７】
また、第２入賞口入口付近には、その第２入賞口への遊技球の入賞を左右するいわゆる「命釘」が設けられていることが多いが、本発明のパチンコ遊技機においても、真上の通過装置を通過した遊技球の入賞を妨げるものでなければ、必要に応じて命釘を設置するものとしてもよい。
更に、通過装置の上方の釘を、一定範囲を通る遊技球が通過装置に向かうような配置とすれば、左右上方から落下してくる遊技球の流路を、通過装置によって、第１入賞口及び第２入賞口の装置の中心線上に一本化することができる。こうすることで、第２入賞口に向かう遊技球の流路が複数ある場合のように、遊技球が互いに干渉してしまい第２入賞口に入賞しない、ということがなく、遊技球が第２入賞口に入賞する確度を高めることができる。
【００１８】
更に、本実施例においては、組付体１の組付基盤１１のセンターライン（中心線）上の上部から下部に向かって、通過装置１２、大入賞口１３、電動役物１４がその順に配置し、請求項２記載のパチンコ遊技機に対応するものとした。しかし、請求項１記載のパチンコ遊技機に対応する実施例とする場合は、第１入賞口下方に電動役物、電動チューリップ等の第２入賞口を備え、第１入賞口上方であって、第２入賞口の真上の位置に通過装置を備えるものであれば、それらの設置位置は、遊技盤上のどの様な位置であってもよい。その場合にも、通過装置、第２入賞口を予め一体として設けておけば、それらの相互の組付け位置の精度を高めることができ、より正確に遊技球を第２入賞口に誘導できるものである。
【００１９】
【発明の効果】
請求項１記載の発明であるパチンコ遊技機においては、組付体の基盤にて第１入賞口上部に通過装置を備えるものとしたので、第１入賞口の上部まできた遊技球は、通過装置を通過することにより、その進路を通過装置によって規制される。そして、その通過装置は第１入賞口を挟んで第２入賞口の真上に位置するものであるため、第１入賞口上部まできた遊技球は、確実に下方の第２入賞口に向けて誘導され、第１入賞口が閉鎖している場合にも、遊技者は第２入賞口への入賞を期待できるものである。
従って、第１入賞口上部まできた遊技球については、第１入賞口が閉じている場合にも確実に入賞することとなるので、第１入賞口の開閉状態による入賞・不入賞の賞球数の落差が大きいということがなくなり、遊技者の興趣が削がれることがない。
特に、通過装置、第１入賞口及び第２入賞口は、組付体の基盤にて一体に設けられているので、組付体をパチンコ遊技機の遊技盤に取り付ければ同時に通過装置、第１入賞口及び第２入賞口が遊技盤に取り付けられることとなり、従って、通過装置、第１入賞口及び第２入賞口を、パチンコ遊技機の遊技盤に対してそれぞれ個別に組み付ける場合に比べて、組付けがより簡単になる。また、遊技盤に組付ける前に予めサブアッセンブリーとして構成しておくため、通過装置、第１入賞口及び第２入賞口をそれぞれ独自に遊技盤に組付ける場合に比べて、より高精度にそれぞれの中心が一直線上となるように組付け配置することができる。そして、前記組付体の基盤は、一般に横方向に長いものであるため、組付体を遊技盤に組付ける際にも、容易に装置が水平となるように高精度に組付けることができる。
【００２０】
請求項２記載の発明であるパチンコ遊技機においては、通過装置、第１入賞口及び第２入賞口を、それぞれの中心が一直線上となる位置に一個ずつ配置している。このため、左右上方から落下してくる遊技球の流路を、通過装置によって、第１入賞口及び第２入賞口の装置の中心線上に集めることができる。よって、確実に遊技球を第１入賞口及び第２入賞口に誘導できるものである。
【図面の簡単な説明】
【図１】通過装置、大入賞口及び電動役物を具備する組付体の正面図である。
【図２】通過装置、大入賞口及び電動役物を具備する組付体の平面図である。
【図３】図１に示した組付体のＡ−Ａ矢視断面図である。
【図４】通過装置、大入賞口及び電動役物を具備する組付体の斜視図である。
【図５】通過装置、大入賞口及び電動役物を具備する組付体を備えたパチンコ遊技機の遊技盤の正面図である。
【図６】通過装置、大入賞口及び電動役物を具備する組付体を備えたパチンコ遊技機の正面図である。
【符号の説明】
１  組付体
１１  組付基盤
１２  通過装置（ゲート）
１３  大入賞口（第１入賞口）
１４  電動役物（第２入賞口）
１５  特定領域
２  アウト口
３  特別図柄表示装置
Ｂ  遊技盤
Ｔ１  上部受け皿
Ｔ２  下部受け皿
Ｌ  遊技球発射レバー